(57)【要約】【課題】放射線画像が記録される放射線画像記録媒体が収容されたカセッテを用いて放射線画像の撮影を行う際、正確かつ効率的に患者名や撮影部位や撮影方法などの撮影情報を報知する。【解決手段】撮影情報入出力手段３０において入力された撮影情報を電気信号として音声報知手段４０に出力してメモリに記憶し、カセッテ１０が撮影台２０に設置されたことをカセッテ検出手段２２により検出し、この検出信号に応じてメモリに記憶された撮影情報を示す電気信号を音声信号変換部４１に出力し、音声信号変換部４１において撮影情報を示す電気信号を音声信号に変換した後、この音声信号に基づいてスピーカ４２から撮影情報を音声として出力する。【選択図】          図１
2004157271.tif 000002
【特許請求の範囲】
【請求項１】
放射線画像の撮影時に、放射線画像が記録される放射線画像記録媒体および該放射線画像記録媒体を収容するケースを有するカセッテが撮影台に設置されたことを検出するカセッテ検出手段と、
該カセッテ検出手段により前記カセッテが設置されたことが検出された際に、入力された前記放射線画像の撮影情報を音声で出力する音声報知手段とを備えたことを特徴とする撮影情報報知装置。
【請求項２】
放射線画像の撮影時に、放射線画像が記録される放射線画像記録媒体および該放射線画像記録媒体を収容するケースを有するカセッテを受容するカセッテスタンドから前記カセッテが取り出されたことを検出するカセッテ取出検出手段と、
該カセッテ取出検出手段により前記カセッテが取り出されたことが検出された際に、入力された前記放射線画像の撮影情報を音声で出力する音声報知手段とを備えたことを特徴とする撮影情報報知装置。
【請求項３】
放射線画像が記録される放射線画像記録媒体および該放射線画像記録媒体を収容するケースを有するカセッテに設けられた音声出力手段と、入力された前記放射線画像の撮影情報を前記音声出力手段により音声で出力させる音声出力制御手段とを備えたことを特徴とする撮影情報報知装置。
【請求項４】
前記カセッテが、所定の信号入力手段を有し、
前記音声出力制御手段が、前記信号入力手段からの信号入力を検出した際に前記撮影情報を音声で出力させるものであることを特徴とする請求項３記載の撮影情報報知装置。
【請求項５】
撮影台に設けられた、前記放射線画像の撮影開始を示す信号を出力する撮影開始信号出力手段を有し、
前記音声出力制御手段が、前記撮影開始信号出力手段から出力された撮影開始を示す信号を検出した際に前記撮影情報を音声で出力させるものであることを特徴とする請求項３記載の撮影情報報知装置。
【請求項６】
前記カセッテを受容するカセッテスタンドに設けられた、前記カセッテに前記撮影情報を出力する撮影情報出力手段を有することを特徴とする請求項３から５いずれか１項記載の撮影情報報知装置。
【発明の詳細な説明】
【０００１】
【発明の属する技術分野】
本発明は、放射線画像が記録される放射線画像記録媒体が収容されたカセッテを用いて放射線画像の撮影を行う際、その撮影情報を報知する撮影情報報知装置に関するものである。
【０００２】
【従来の技術】
従来より、人体などの被写体に放射線を照射し、被写体を透過した放射線をフィルムなどに照射することにより放射線画像を記録する放射線画像撮影装置が種々提案されている。
【０００３】
上記のような放射線画像撮影装置としては、フィルムに直接放射線を照射して記録するものの他に、たとえば、放射線の照射により該放射線の線量に応じた量の電荷を蓄電部に蓄積することにより、放射線画像を記録する放射線固体検出器を用いたものや、また、放射線エネルギーの一部を蓄積し、励起光の照射により蓄積された放射線エネルギーに応じて輝尽発光を示す蓄積性蛍光体を支持体上に積層した蓄積性蛍光体シートを用いたものなどが提案されており、また、上記放射線固体検出器や蓄積性蛍光体シートをケースに収容したカセッテを利用した放射線画像撮影装置も提案されている。
【０００４】
ここで、上記のような放射線画像撮影装置により放射線画像の撮影を行う際には、患者名や撮影部位（胸部、頭部、腹部、右乳房、左大腿など）や撮影方法（正面、側面、斜位、断層など）などの撮影情報が装置の操作者により確認される。特許文献１には、上記のような撮影情報をモニタに表示させることにより操作者が確認できる方法が記載されている。また、特許文献２には、上記のような撮影情報をカセッテに設けられたモニタに表示する方法が提案されている。また、特許文献３には、上記のような撮影情報をカセッテを受容するカセッテスタンドに設けられたモニタに表示することが提案されている。
【０００５】
【特許文献１】
特開昭５８−７２０４１号公報
【０００６】
【特許文献２】
特開２０００−２６２５０４号公報
【０００７】
【特許文献３】
特開２０００−２０６６３６号公報
【０００８】
【発明が解決しようとする課題】
しかしながら、上記のような放射線画像撮影装置による撮影作業は一般に短時間内に集中することが多いため、正確かつ効率的に行う必要があるが、上記のようにしてモニタに表示された撮影情報を確認したのでは、撮影する度にモニタに視線を向けなくてはならないため作業効率が悪く、また、表示状態や操作者の視力によっては見間違えを生じるおそれもある。
【０００９】
本発明は、上記のような問題点に鑑み、放射線画像が記録される放射線画像記録媒体が収容されたカセッテを用いて放射線画像の撮影を行う際、正確かつ効率的に撮影情報を報知することができる撮影情報報知装置を提供することを目的とするものである。
【００１０】
【課題を解決するための手段】
本発明の第１の撮影情報報知装置は、放射線画像の撮影時に、放射線画像が記録される放射線画像記録媒体およびその放射線画像記録媒体を収容するケースを有するカセッテが撮影台に設置されたことを検出するカセッテ検出手段と、そのカセッテ検出手段によりカセッテが設置されたことが検出された際に、入力された放射線画像の撮影情報を音声で出力する音声報知手段とを備えたことを特徴とするものである。
【００１１】
ここで、上記「放射線画像記録媒体」としては、たとえば、入射した放射線を直接または一旦光に変換した後に電荷に変換し、その電荷を蓄積することにより放射線画像を記録する放射線固体検出器や、放射線エネルギーの一部を蓄積し、励起光の照射により蓄積された放射線エネルギーに応じて輝尽発光を示す蓄積性蛍光体を支持体上に積層した蓄積性蛍光体シートや、フィルムなどがある。
【００１２】
また、上記「撮影台」とは、撮影時に上記カセッテが設置される台であって、カセッテが設置された撮影台に被写体が近づいた状態で放射線を照射することにより放射線画像の撮影を行うことができるものである。
【００１３】
また、上記「撮影情報」とは、放射線画像の撮影時に操作者が必要とする撮影に関する情報であり、たとえば、撮影情報としては、患者名などの患者を識別するためのＩＤ情報や、胸部、頭部、腹部、右乳房、左大腿などの撮影部位や、正面、側面、斜位、断層などの撮影方法などがある。
【００１４】
本発明の第２の撮影情報報知装置は、放射線画像の撮影時に、放射線画像が記録される放射線画像記録媒体およびその放射線画像記録媒体を収容するケースを有するカセッテを受容するカセッテスタンドからカセッテが取り出されたことを検出するカセッテ取出検出手段と、そのカセッテ取出検出手段によりカセッテが取り出されたことが検出された際に、入力された放射線画像の撮影情報を音声で出力する音声報知手段とを備えたことを特徴とするものである。
【００１５】
ここで、上記「カセッテスタンド」は、たとえば、放射線画像の撮影室内に設置され、撮影時に使用されるカセッテを予め受容したものなどである。
【００１６】
本発明の第３の撮影情報報知装置は、放射線画像が記録される放射線画像記録媒体およびその放射線画像記録媒体を収容するケースを有するカセッテに設けられた音声出力手段と、入力された放射線画像の撮影情報を音声出力手段により音声で出力させる音声出力制御手段とを備えたことを特徴とするものである。
【００１７】
ここで、上記「音声出力手段」としては、たとえば、スピーカーなどの電気信号を音声として出力することができるものがある。
【００１８】
また、上記第３の撮影情報報知装置においては、カセッテを、所定の信号入力手段を有するものとし、音声出力制御手段を、信号入力手段からの信号入力を検出した際に撮影情報を音声で出力させるものとすることができる。
【００１９】
ここで、上記「信号入力手段」としては、たとえば、音声での撮影情報の出力を要求するボタンスイッチなどを設けることができる。
【００２０】
また、放射線画像の撮影開始を示す信号を出力する撮影開始信号出力手段を撮影台に設け、音声出力制御手段を、撮影開始信号出力手段から出力された撮影開始を示す信号を検出した際に撮影情報を音声で出力させるものとすることができる。
【００２１】
ここで、上記「撮影開始信号出力手段」としては、たとえば、撮影台に人が近づいたことを検出し、この検出信号を撮影開始信号として出力するものなどがある。
【００２２】
また、カセッテに撮影情報を出力する撮影情報出力手段をカセッテを受容するカセッテスタンドに設けるようにすることができる。
【００２３】
【発明の効果】
本発明の第１から第３の撮影情報報知装置によれば、放射線画像の撮影時に、入力された放射線画像の撮影情報を音声で出力するようにしたので、正確かつ効率的に撮影情報を認識することができる。
【００２４】
また、上記第３の撮影情報報知装置において、カセッテに所定の信号入力手段を設け、その信号入力手段からの信号入力を検出した際に撮影情報を音声で出力させるようにしたり、放射線画像の撮影開始を示す信号を出力する撮影開始信号出力手段を撮影台に設け、その撮影開始信号出力手段から出力された撮影開始を示す信号を検出した際に撮影情報を音声で出力させるようにした場合には、より適切なタイミングで撮影情報を知ることができる。
【００２５】
また、上記第３の撮影情報報知装置において、カセッテに撮影情報を出力する撮影情報出力手段をカセッテを受容するカセッテスタンドに設けるようにした場合には、カセッテへの撮影情報の入力を容易に行うことができる。
【００２６】
【発明の実施の形態】
以下、図面を参照して本発明の撮影情報報知装置の第１の実施の形態について詳細に説明する。図１は本発明の撮影情報報知装置の第１の実施の形態を利用した放射線画像撮影システムの概略構成図である。
【００２７】
本放射線画像撮影システムは、図１に示すように、放射線を照射する放射線源５、被写体１を透過した放射線の放射線エネルギーの一部を蓄積し、励起光の照射により蓄積された放射線エネルギーに応じて輝尽発光を示す蓄積性蛍光体を支持体上に積層した蓄積性蛍光体シート１１と該蓄積性蛍光体シートを収容するケース１２とを有するカセッテ１０、カセッテ１０が設置される撮影台２０、被写体１についての放射線画像の撮影情報を入出力する撮影情報入出力手段３０、および撮影情報入出力手段３０から出力された撮影情報を音声で報知する音声報知手段４０を備えている。
【００２８】
カセッテ１０のケース１２は、図２に示すように、蓄積性蛍光体シート１１が収容され、一端側の端面１４および該端面の連接する蛍光体シート１１に対向する面の一部に蛍光体シート１１を出し入れするための開口が設けられた箱体１２ａと、箱体１２ａの開口を閉塞する蓋体１２ｂとから構成される。蓋体１２ｂは、ヒンジ等によって、図中矢印ａ方向に開閉可能に構成される。
【００２９】
撮影台２０は、カセッテ１０が挿入される装填口２１を有しており、この装填口２１からカセッテ１０が挿入され、放射線画像の撮影が可能な位置に設置される。そして、撮影台２０にはカセッテが設置されたことを検出するカセッテ検出手段２２が設けられている。
【００３０】
音声報知手段４０は、撮影情報入出力手段３０から出力された撮影情報を示す電気信号を音声として出力可能な音声信号に変換する音声信号変換部４１と音声信号変換部４１により変換された音声信号を音声として出力するスピーカ４２とを有している。
【００３１】
撮影情報とは、たとえば、被写体１である患者の名前などの患者を識別するためのＩＤ情報、胸部、頭部、腹部、右乳房および左大腿などの撮影部位、正面、側面、斜位および断層などの撮影方法などをいい、放射線画像の撮影の前に撮影情報入出力手段３０において入力される情報である。
【００３２】
次に、上記放射線画像撮影システムの作用について説明する。
【００３３】
まず、撮影情報入出力手段３０において撮影情報が入力される。この撮影情報は電気信号として音声報知手段４０に出力され、音声報知手段４０に設けられたメモリ（不図示）に記憶される。そして、撮影台２０に被写体１が載置されるとともに、カセッテ１０が撮影台２０の装填口２１から挿入されて設置される。このとき、カセッテ１０が設置されたことが撮影台２０に設けられたカセッテ検出手段２２により検出され、この検出信号が音声報知手段４０に出力される。音声報知手段４０は、この検出信号に応じてメモリに記憶された撮影情報を示す電気信号を音声信号変換部４１に出力する。そして、音声信号変換部４１において撮影情報を示す電気信号が音声信号に変換され、この音声信号はスピーカ４２に出力される。スピーカ４２は、入力された音声信号に応じて撮影情報を音声で報知する。この報知された音声により操作者は撮影情報を認識し、被写体１が間違っていないか、また、撮影情報のとおりに被写体１が載置されているか、また設置されたカセッテ１０のサイズや種類などが間違っていないかなどを確認した後、放射線源５から放射線を照射することにより放射線画像の撮影を行う。
【００３４】
また、上記放射線画像撮影システムにおいて、複数のカセッテについて撮影を行う場合には、カセッテ毎にバーコードや半導体チップなどにより識別情報を持たせ、この識別情報をカセッテの検出信号とともに音声報知手段４０に出力するようにし、音声報知手段４０において複数のカセッテについての撮影情報を記憶するようにしておき、入力された識別情報に応じた撮影情報を音声で報知するようにしてもよい。
【００３５】
また、上記放射線画像撮影システムにおいては、音声報知手段４０と撮影台２０とを別々に構成するようにしたが、これらを一体化するようにしてもよい。また、音声報知手段４０にスピーカ４２を設けるようにしたが、スピーカ４２のみを撮影台２０に付設したり、撮影台２０や音声報知手段４０から離れた撮影室内の所定の位置に設置するようにしてもよい。
【００３６】
次に、本発明の撮影情報報知装置の第２の実施の形態について詳細に説明する。図３は本発明の撮影情報報知装置の第２の実施の形態を利用したカセッテスタンドの概略構成図である。図３（ａ）はカセッテスタンドの斜視図、図３（ｂ）はカセッテスタンドの内部の構成を示すブロック図である。
【００３７】
本カセッテスタンドは、図３に示すように、被写体を透過した放射線を検出して放射線画像を表す画像信号を出力する放射線固体検出器５１と該放射線固体検出器５１を収容するケース５２とを有するカセッテ５０を受容するものである。
【００３８】
カセッテ５０のケース５２は、図４に示すように、上面開放の箱形収容部５２ａと該収容部５２ａの上面を覆う蓋部５２ｂとからなる。そして、ケース５２内には、所定の情報を記憶するメモリ５３と放射線固体検出器５１を駆動する電源５４が設けられている。
【００３９】
カセッテスタンド６０は、図３に示すように、金属製、あるいは樹脂製で作られた略箱状を呈しており、上部の傾斜面６０ａにカセッテ５０のメモリの情報を表示する表示スクリーン６１およびスピーカ６２が配置されている。また、カセッテスタンド６０の前面６０ｂには、カセッテ５０を挿入するためのスロット６３が設けられている。
【００４０】
また、カセッテスタンド６０は、内部に充電器６４とメモリ６５を有している。充電器６４はスロット６３に挿入されたカセッテ５０の電源５４と接続されるものである。充電器はカセッテ５０が挿入されると自動的にカセッテ５０の電源５４に接続されるが、必要に応じて接続しないようにしてもよい。また充電完了後自動的に接続回路が切断されるようにしてもよい。充電器６４とカセッテ５０は、直接電気的に接触するほかに、電磁結合（誘導結合）により、非接触方式で充電することもできる。また、カセッテスタンド６０のメモリはカセッテ５０のメモリ５３に接続されるものである。
【００４１】
表示スクリーン６１は、カセッテスタンド６０のメモリ６５に記憶された情報を表示するものである。
【００４２】
また、カセッテスタンド６０には、撮影情報入出力手段７０が接続されている。そして、カセッテスタンド６０は、撮影情報入出力手段７０から出力された撮影情報を示す電気信号を音声として出力可能な音声信号に変換する音声信号変換部６６を有しており、この音声信号変換部６６により変換された音声信号は音声としてスピーカ６２から出力される。
【００４３】
また、カセッテスタンド６０には、カセッテ５０がスロット６３から取り出されたことを検出するカセッテ取出検出手段６７が設けられている。
【００４４】
次に、上記カセッテスタンド６０の作用について説明する。
【００４５】
まず、カセッテスタンド６０には、放射線画像の撮影前のカセッテ５０がスロット６３により受容されている。そして、撮影情報入出力手段７０において撮影情報が入力され、この撮影情報はカセッテスタンド６０のメモリ６５に電気信号として出力されて記憶される。そして、操作者が放射線画像の撮影を開始する際にスロット６３からカセッテ５０が取り出される。このとき、カセッテ５０がスロット６３から取り出されたことがカセッテ取出検出手段６７により検出され、この検出信号に応じてメモリ６５に記憶された撮影情報を示す電気信号が音声信号変換部６６に出力される。そして、音声信号変換部４１において撮影情報を示す電気信号が音声として出力可能な音声信号に変換され、この音声信号はスピーカ６２に出力される。スピーカ６２は、入力された音声信号に応じて撮影情報を音声で報知する。一方、カセッテ取出検出手段６７における検出信号に応じてメモリ６５に記憶された撮影情報を示す電気信号は所定の信号処理が行われた後、表示スクリーン６１にも出力され、表示スクリーン６１は撮影情報を表示する。操作者は上記のようにしてスピーカ６２から報知された撮影情報および表示スクリーン６１に表示された撮影情報を認識し、被写体１が間違っていないか、撮影情報のとおりに被写体１が載置されているか、また取り出したカセッテ５０のサイズや種類などが間違っていないかなどを確認した後、カセッテ５０を用いて放射線画像の撮影を開始する。
【００４６】
また、上記カセッテスタンド６０において、複数のスロットを設けて複数のカセッテを受容できるようにしてもよく、この場合には、撮影情報入出力手段７０から出力された撮影情報に基づいてスロットおよびカセッテを選択し、その選択されたカセッテがスロットから取り出されたときに、上記と同様にスピーカ６２から撮影情報を音声により出力したり、表示スクリーン６１により撮影情報を表示するようにすればよい。また、選択されたスロットを示すＬＥＤなどをカセッテスタンド６０に設けるようにしてもよい。
【００４７】
また、撮影情報入出力手段７０からカセッテスタンド６０に撮影感度や放射線の線量を示す情報を出力するようにし、これをカセッテスタンド６０のメモリ６５に一旦記憶した後、表示スクリーン６１に表示したり、カセッテスタンド６０のメモリ６５からカセッテ５０のメモリ５３に一旦記憶し、この情報に基づいて放射線固体検出器５１の制御などを行うようにしてもよい。
【００４８】
また、放射線画像の撮影終了後のカセッテをカセッテスタンド６０のスロット６３に挿入した際に、放射線固体検出器５１のメモリ５３からカセッテスタンド６０のメモリ６５に画像信号を出力させ、この画像信号に所定の画像処理などを施した後、表示スクリーン６１に表示させるようにしてもよい。さらに、カセッテの充電の必要の有無を即座に知ることができるように電源電圧を表示してもよい。
【００４９】
次に、本発明の撮影情報報知装置の第３の実施の形態について詳細に説明する。図３は本発明の撮影情報報知装置の第３の実施の形態を利用したカセッテの概略構成図である。
【００５０】
本カセッテ８０は、図５に示すように、被写体を透過した放射線を検出して放射線画像を表す画像信号を出力する放射線固体検出器８１と、放射線固体検出器８１を収容するケース８２と、撮影情報入出力手段９０から出力された撮影情報を受信して記憶するメモリ８３と、メモリ８３に記憶された撮影情報を示す電気信号を音声として出力可能な音声信号に変換する音声信号変換部８４と、音声信号変換部８４から出力された音声信号を音声として出力するスピーカ８５とを有するものである。
【００５１】
カセッテ８０のケース８２は、第２の実施の形態のケース５２と同様の構成である。
【００５２】
また、カセッテ８０には、スピーカ８５による音声出力を開始させるための撮影情報確認要求ボタン８６が設けられている。
【００５３】
また、カセッテ８０のメモリ８３は、撮影情報入出力手段９０から出力された撮影情報を示す電気信号を無線ＬＡＮを介して受信する受信部（不図示）を有しており、この受信部により受信された撮影情報を示す電気信号を記憶するものである。
【００５４】
次に、上記カセッテ８０の作用について説明する。
【００５５】
まず、放射線画像の撮影前に撮影情報入出力手段９０において撮影情報が入力され、この撮影情報を示す電気信号が無線ＬＡＮを介して受信部により受信されてカセッテ８０のメモリ８３に記憶される。そして、操作者が放射線画像の撮影を開始する際、撮影情報を確認するために撮影情報確認要求ボタン８６を押下すると、メモリ８３に記憶された撮影情報を示す電気信号が音声信号変換部８４に出力される。そして、音声信号変換部８４において撮影情報を示す電気信号が音声として出力可能な音声信号に変換され、この音声信号はスピーカ８５に出力される。スピーカ８５は、入力された音声信号に応じて撮影情報を音声で報知する。この報知された音声により操作者は撮影情報を認識し、被写体１が間違っていないか、撮影情報のとおりに被写体１が載置されているか、また設置されたカセッテ１０のサイズや種類などが間違っていないかなどを確認した後、放射線画像の撮影を行う。
【００５６】
また、上記カセッテ８０においては、撮影情報入出力手段９０から出力された撮影情報を示す電気信号を無線ＬＡＮを介して受信して記憶するようにしたが、これに限らず、たとえば、第２の実施の形態と同様に、撮影情報入出力手段からカセッテスタンドに撮影情報を示す電気信号を出力し、その撮影情報を示す電気信号をカセッテスタンドに設けられた撮影情報出力手段（不図示）によりカセッテスタンドに受容されたカセッテ８０のメモリ８３に出力して記憶し、上記のように撮影情報確認要求ボタン８６を押下することにより音声として出力するようにしてもよい。
【００５７】
また、上記カセッテ８０においては、撮影情報確認要求ボタン８６が押下された際に撮影情報を音声で報知するようにしたが、これに限らず、たとえば、撮影台に放射線画像の撮影開始を示す信号を出力する撮影開始信号出力手段を設け、この撮影開始信号出力手段から出力された撮影開始を示す信号に応じて上記と同様にして音声としてスピーカ８５から撮影情報を出力するようにしてもよい。この場合、撮影開始信号出力手段としては、たとえば、撮影台に操作者が近づいたことを検出し、この検出信号を撮影開始を示す信号として出力するものなどを利用すればよい。また、撮影開始を示す信号は電波や赤外線などによりカセッテ８０に出力するようにすればよい。
【００５８】
また、カセッテ８０に、音声の命令を認識することができる音声認識手段を設け、撮影情報を音声として出力させる命令を音声により入力し、これを音声認識手段により認識し、撮影情報を音声としてスピーカ８５から出力するようにしてもよい。
【００５９】
また、上記のようなカセッテを複数使用する場合には、カセッテ毎に所定の識別情報を持たせ、この識別情報を撮影情報入出力手段から撮影情報とともに出力するようにし、この撮影情報入出力手段から出力された識別情報に応じたカセッテから撮影情報を音声として出力するようにしてもよい。
【００６０】
上記本発明の撮影情報報知装置の第１から第３の実施の形態によれば、放射線画像の撮影時に、入力された放射線画像の撮影情報を音声で出力するようにしたので、正確かつ効率的に撮影情報を認識することができる。
【図面の簡単な説明】
【図１】本発明の撮影情報報知装置の第１の実施の形態を利用した放射線画像撮影システムの概略構成図
【図２】図１に示す放射線画像撮影システムで使用されるカセッテの概略構成図
【図３】本発明の撮影情報報知装置の第２の実施の形態を利用したカセッテスタンド概略構成図
【図４】図３に示すカセッテスタンドで使用されるカセッテの概略構成図
【図５】本発明の撮影情報報知装置の第３の実施の形態を利用したカセッテの概略構成図
【符号の説明】
１    被写体
５    放射線源
１０    カセッテ
１１    蓄積性蛍光体シート
１２    ケース
２０    撮影台
２１    装填口
２２    カセッテ検出手段
３０，７０，９０    撮影情報入出力手段
３１    操作パネル
３２    表示部
４０    報知手段
４１，６６，８４    音声信号変換部
４２，６２，８５    スピーカ
５０    カセッテ
５１，８１    放射線固体検出器
５２，８２    ケース
５３，６５    メモリ
５４    電源
６０    カセッテスタンド
６１    表示スクリーン
６３    スロット
６４    充電器
６６    カセッテ受容検出手段
８０    カセッテ
８３    メモリ
８６    確認要求ボタン
【図１】
2004157271.tif 000003
【図２】
2004157271.tif 000004
【図３】
2004157271.tif 000005
【図４】
2004157271.tif 000006
【図５】
2004157271.tif 000007